(57)【要約】【課題】  包装機における噛み込みの要因となる被包装物のずれを検出し、噛み込みを回避するための予防的な制御を行うこと。【解決手段】  被包装物を搬送するための搬送機構を含む包装機を制御するための制御装置であって、被包装物を検出するセンサから、検出結果を取得する取得部と、前記取得部によって取得された検出結果に基づいて、所定の時点から、前記センサによって前記被包装物が検出されるまでの経過時間を把握し、前記経過時間に基づいて、前記被包装物の所定位置からのずれ方向を判定する判定部と、前記センサによる検出がなされた前記被包装物に対して、前記センサによる検出がなされた工程よりも後工程の何れかの工程の実施を、前記判定部によって判定されたずれ方向に基づいて制御する制御部とを備える。【選択図】図１
2018177318.tif 000002
【特許請求の範囲】
【請求項１】
被包装物を搬送するための搬送機構を含む包装機を制御するための制御装置であって、
前記被包装物の位置を検出するセンサから、前記搬送機構における被包装物の搬送位置を表す位置検出情報を取得する取得部と、
前記取得部によって取得された位置検出情報に基づいて、前記被包装物の所定位置からの搬送方向に対するずれ方向を判定する判定部と、
前記センサによる位置検出がなされた前記被包装物に対して、前記センサによる位置検出がなされた工程よりも後工程の実施を、前記判定部によって判定されたずれ方向に基づいて制御する制御部と、
を備えた制御装置。
【請求項２】
被包装物を搬送するための搬送機構を含む包装機を制御するための制御装置であって、
前記被包装物を検出するセンサから、前記搬送機構における被包装物の搬送タイミングを表す搬送タイミング検出情報を取得する取得部と、
前記取得部によって取得された搬送タイミング検出情報に基づいて、予め設定された基準時点から、前記センサによって前記被包装物が検出されるまでの経過時間を求め、前記経過時間に基づいて、前記被包装物の所定位置からのずれ方向を判定する判定部と、
前記センサによる検出がなされた前記被包装物に対して、前記センサによる検出がなされた工程よりも後工程の実施を、前記判定部によって判定されたずれ方向に基づいて制御する制御部と、
を備えた制御装置。
【請求項３】
前記判定部は、前記経過時間が、予め定められた第１のしきい値よりも短い場合に、前記ずれ方向は前記後工程側であると判定し、予め定められた第２のしきい値よりも長い場合に、前記ずれ方向は前工程側であると判定し、
前記制御部は、
前記判定部によってずれ方向が前記後工程側であると判定された場合に、前記センサにより検出がなされた前記被包装物に対する前記後工程が、前記ずれが発生していない場合における処理期間において実施されないように前記包装機を制御し、
前記判定部によってずれ方向が前記前工程側であると判定された場合に、前記センサにより検出がなされた前記被包装物に対する前記後工程が、前記ずれが発生していない場合より遅い処理期間において実施されないように前記包装機を制御する、請求項２に記載の制御装置。
【請求項４】
前記処理期間は、複数の工程の各々が実施する処理の単位処理時間を表すタクトで定義され、前記ずれが発生していない場合より遅い処理期間は、前記ずれが発生していない場合における処理期間の１タクト後である、請求項３に記載の制御装置。
【請求項５】
前記包装機が、少なくとも複数の前記被包装物を包装材により覆う工程と、前記覆われた複数の被包装物を予め設定された単位数で分離する工程とを備えるピロー包装機である場合に、
前記制御部は、前記センサによる検出がなされた工程の実施から、前記分離するための工程の実施までに要する所要時間を考慮して、前記ずれ方向が判定された被包装物に対し、前記分離するための工程が実施されないように前記ピロー包装機を制御する、請求項３に記載の制御装置。
【請求項６】
請求項１乃至５のうち何れか１項に記載の制御装置を備えた包装機。
【請求項７】
被包装物を搬送するための搬送機構を含む包装機を制御するための制御方法であって、
前記被包装物の位置を検出するセンサから、前記搬送機構における被包装物の搬送位置を表す位置検出情報を取得し、
前記取得された位置検出情報に基づいて、前記被包装物の所定位置からの搬送方向に対するずれ方向を判定し、
前記センサによる位置検出がなされた前記被包装物に対して、前記センサによる位置検出がなされた工程よりも後工程の実施を、前記判定部によって判定されたずれ方向に基づいて制御する、制御方法。
【請求項８】
被包装物を搬送するための搬送機構を含む包装機を制御するための制御方法であって、
前記被包装物を検出するセンサから、前記搬送機構における被包装物の搬送タイミングを表す搬送タイミング検出情報を取得し、
前記取得された搬送タイミング検出情報に基づいて、予め設定された基準時点から、前記センサによって前記被包装物が検出されるまでの経過時間を求め、前記経過時間に基づいて、前記被包装物の所定位置からのずれ方向を判定し、
前記センサによる検出がなされた前記被包装物に対して、前記センサによる検出がなされた工程よりも後工程の実施を、前記判定部によって判定されたずれ方向に基づいて制御する、制御方法。
【請求項９】
請求項１乃至５のいずれかに記載の制御装置が備える前記各部としてコンピュータを機能させるためのプログラム。
【発明の詳細な説明】
【技術分野】
【０００１】
本発明は、例えばピロー包装機のような包装機、該包装機を制御するための制御装置、制御方法、およびプログラムに関する。
【背景技術】
【０００２】
従来、生産ラインによって大量生産される製品を個別にかつ高速に包装するために、ピロー包装機のような包装機が広く使用されている。ピロー包装機の一例として横ピロー包装機がある。
【０００３】
図８は、一般的な横ピロー包装機の構成例を示す概要図である。
【０００４】
図８に例示する横ピロー包装機４０は、ワーク搬送機構６０、フィルム搬送機構（メイン）７０、フィルム搬送機構（サブ）８０、およびトップシール機構９０から構成される。
【０００５】
ワーク搬送機構６０には、前後に配置されたスプロケット６６、６７と、スプロケット６６、６７に掛け渡されたエンドレスエンドレスチェーン６１と、前方のスプロケット６６を回転させるための駆動力を提供するサーボモータ６２とが設けられている。
【０００６】
さらにエンドレスチェーン６１の表面には、エンドレスチェーン６１上においてワーク５０を等間隔で載置するための位置決め用突起である押送フィンガ６３が複数、エンドレスチェーン６１の長手方向に等間隔で設けられている。
【０００７】
サーボモータ６２が駆動することにより、前方のスプロケット６６が回転し、エンドレスエンドレスチェーン６１が回転することによって、押送フィンガ６３が上流側（図中左側）から下流側（図中右側）へと移動する。
【０００８】
これによって、上流側の装置（図示せず）からワーク搬送機構６０に搬送されたワーク５０の後面に押送フィンガ６３が突き当たると、押送フィンガ６３の移動に伴い、ワーク５０も前進移動する。
【０００９】
なお、本明細書では、横ピロー包装機４０で包装される被包装物をワーク５０と称する。
【００１０】
ワーク搬送機構６０にはまた、エンドレスチェーン６１によって搬送されるワーク５０を検出するための光学センサ６４が設けられている。
【００１１】
ワーク搬送機構６０にはさらに、ワーク乗り上げセンサ６５も設けられている。これによって、異物（図示せず）の上に乗り上げられたワーク５０が検出される。
【００１２】
フィルム搬送機構（メイン）７０では、フィルム７１が巻かれているロール７２が、サーボモータ７５によって回転されることによって、フィルム７１が、フィルム搬送機構（サブ）８０側へ供給される。
【００１３】
フィルム７１の表面には、トップシール機構９０でなされる、フィルム７１の進行方向に対して垂直方向になされるシール（以降、単に「トップシール」と称する）および切断のための目印として使用されるレジマークが等間隔で付されており、このレジマークが、レジマークを検出するための光学センサ７４によって所定周期で検出されることによって、フィルム搬送機構（サブ）８０へフィルム７１が所定速度で供給されることが確認される。
【００１４】
フィルム搬送機構（サブ）８０では、フィルム搬送機構（メイン）７０から供給されたフィルム７１が、フィルム搬送機構（サブ）８０における上流側（図中左側）において筒状とされる。次に、ワーク搬送機構６０によって、このフィルム７１の筒の中にワーク５０が送り込まれ、レジマークで区切られた領域内に配置される。
【００１５】
フィルム搬送機構（サブ）８０へ搬送されたワーク５０は、フィルム７１の筒の中に配置された状態で、フィルム７１と共に、トップシール機構９０側へ搬送される。このフィルム７１およびワーク５０の搬送は、サーボモータ８３により行われる。ワーク５０は、ワークずれを検出するためのセンサである光学センサ８２によって、フィルム７１の筒中のレジマークで区切られた領域内における配置状態が検出される。
【００１６】
筒の中にワーク５０が配置されたフィルム７１は、サーボモータ９２によって駆動されるトップシール機構９０において、トップシールと切断とが同時に行われる。これによって、フィルム７１によってワーク５０が個別に包装された状態で横ピロー包装機４０から排出される。
【先行技術文献】
【特許文献】
【００１７】
【特許文献１】特開２００５−１０４５１２号公報
【特許文献２】特開２０１０−００６４７４号公報
【発明の概要】
【発明が解決しようとする課題】
【００１８】
しかしながら、このような横ピロー包装機４０には、以下のような課題がある。
【００１９】
図９は、光学センサ８２による検出時におけるワーク５０とフィルム７１との位置関係の代表的なパターンの例を説明するための上面図である。図９におけるｘ軸は、ワーク５０の搬送方向およびフィルム７１の長手方向に対応し、ｙ軸は、フィルム７１の幅方向に対応する。
【００２０】
図１０は、光学センサ８２による検出時におけるワーク５０とフィルム７１との位置関係の代表的なパターンの例を説明するための側面図である。図１０におけるｘ軸は、ワーク５０の搬送方向およびフィルム７１の長手方向に対応し、ｚ軸は、ワーク５０の高さ方向に対応する。
【００２１】
図９、図１０の何れにおいても、図中右方向がトップシール機構９０側（すなわち、後工程側）に対応する。
【００２２】
横ピロー包装機４０が正常に連続的に動作していれば、光学センサ８２による検出時におけるワーク５０とフィルム７１との位置関係は、図９（ａ）および図１０に示す通り、フィルム７１のレジマークで区切られた領域内のほぼ中央に配置された状態となる。
【００２３】
図９において、破線Ｂは、フィルム７１の幅方向の中心を通過する線である。したがって、破線Ｂは、フィルム７１の長手方向と平行である。破線Ａは、フィルム７１の長手方向における光学センサ８２の配置位置に相当する。破線Ａと破線Ｂとの交点は、光学センサ８２が照射する光の目標位置に相当する。
【００２４】
図１０において、破線Ｃは、光学センサ８２の配置位置からの直下方向に相当し、破線Ｄは、ワーク５０の１／２の高さを通過する水平線である。
【００２５】
図９（ａ）および図１０に示すように、ワーク５０の搬送方向とフィルム７１の長手方向とが一致し、かつ、破線Ａと破線Ｂとの交点が、上から見た場合におけるワーク５０の平面中心点と一致する状態を、以降、「正常状態」と称する。
【００２６】
一方、図９（ｂ）は、ワーク５０の搬送方向と、フィルム７１の長手方向とが一致しているが、ワーク５０が後工程側にずれている状態を示している。このような状態を、以降、「前方ずれ」と称する。
【００２７】
図９（ｃ）は、ワーク５０の搬送方向と、フィルム７１の長手方向とが一致しているが、図９（ｂ）とは逆に、ワーク５０が前工程側にずれている状態を示している。このような状態を、以降、「後方ずれ」と称する。
【００２８】
その他にも、図９（ｄ）に示すように、ワーク５０は前方ずれも後方ずれも起こしていないものの、ワーク５０の幅方向の中心を通過する線が、破線Ｂよりも図中上側である奥側へずれた状態である「奥ずれ」や、図９（ｅ）に示すように、ワーク５０は前方ずれも後方ずれも起こしていないものの、図９（ｄ）とは逆に、ワーク５０の幅方向の中心を通過する線が、破線Ｂよりも図中下側である手前側へずれた状態である「手前ずれ」といった状態もある。さらには、図９（ｂ）〜（ｅ）のようなずれが、任意に組み合わされてなる数多くのずれパターンがある。
【００２９】
これら多くのずれパターンのうち、図９（ｂ）に示す前方ずれ、および、図９（ｃ）に示す後方ずれは、トップシール機構９０におけるワーク５０の噛み込みの要因となり得る深刻な位置ずれである。その理由を以下に説明する。
【００３０】
図９（ａ）に示すような正常状態であれば、トップシール機構９０は、ワーク５０と、後続するワーク５０との間のフィルム７１に対して、トップシールや切断といった処理を実施する。これによって、フィルム７１のトップシールおよび切断がなされ、その結果、個別に包装されたワーク５０がトップシール機構９０から排出される。
【００３１】
また、図９（ｄ）に示すような奥ずれと、図９（ｅ）に示すような手前ずれは、搬送中常時フィルム７１によってワーク５０がフィルム７１の幅方向の中心側へ引っ張られることにより、図９（ａ）のような正常状態に自然に矯正されるので、トップシール機構９０におけるワーク５０の噛み込みの要因とはならない。
【００３２】
しかしながら、図９（ｂ）のような前方ずれ、および、図９（ｃ）のような後方ずれを起こしたワーク５０に対してトップシール機構９０が動作すると、ワーク５０を噛み込んでしまい、ワーク５０を破損させてしまう恐れがある。また、これによって、トップシール機構９０のカッターの摩耗や劣化を引き起こす恐れがある。
【００３３】
従来技術では、このような噛み込みを、実際の噛み込みの発生を検知することによって認識している。そして、噛み込みの発生を認識すると、横ピロー包装機４０を停止させ、噛み込まれたワークを取り除くことによって対処している。しかしながら、このような対処法は、横ピロー包装機４０の停止を伴うために、稼働率の低下をもたらしてしまうので、好ましいものではない。
【００３４】
本発明はこのような事情に鑑みてなされたものであり、噛み込みの要因となるワークの搬送方向の位置ずれが発生した場合でも、包装機の運転を停止させることなく噛み込みの発生を回避できるようにし、これにより生産効率を高く維持するようにした包装機の制御装置、制御方法、プログラム、および該制御装置によって制御される包装機を提供することを目的とする。
【課題を解決するための手段】
【００３５】
上記の目的を達成するために、本発明では、以下のような手段を講じる。
【００３６】
すなわち、この発明の第１の態様は、被包装物を搬送するための搬送機構を含む包装機を制御するための制御装置であって、前記被包装物の位置を検出するセンサから、前記搬送機構における被包装物の搬送位置を表す位置検出情報を取得する取得部と、前記取得部によって取得された位置検出情報に基づいて、前記被包装物の所定位置からの搬送方向に対するずれ方向を判定する判定部と、前記センサによる位置検出がなされた前記被包装物に対して、前記センサによる位置検出がなされた工程よりも後工程の実施を、前記判定部によって判定されたずれ方向に基づいて制御する制御部とを備える。
【００３７】
また、この発明の第２の態様は、被包装物を搬送するための搬送機構を含む包装機を制御するための制御装置であって、前記被包装物を検出するセンサから、前記搬送機構における被包装物の搬送タイミングを表す搬送タイミング検出情報を取得する取得部と、前記取得部によって取得された搬送タイミング検出情報に基づいて、予め設定された基準時点から、前記センサによって前記被包装物が検出されるまでの経過時間を求め、前記経過時間に基づいて、前記被包装物の所定位置からのずれ方向を判定する判定部と、前記センサによる検出がなされた前記被包装物に対して、前記センサによる検出がなされた工程よりも後工程の実施を、前記判定部によって判定されたずれ方向に基づいて制御する制御部とを備える。
【００３８】
さらに、この発明の第３の態様は、第２の態様の制御装置において、前記判定部は、前記経過時間が、予め定められた第１のしきい値よりも短い場合に、前記ずれ方向は前記後工程側であると判定し、予め定められた第２のしきい値よりも長い場合に、前記ずれ方向は前工程側であると判定し、前記制御部は、前記判定部によってずれ方向が前記後工程側であると判定された場合に、前記センサにより検出がなされた前記被包装物に対する前記後工程が、前記ずれが発生していない場合において処理期間において実施されないように前記包装機を制御し、前記判定部によってずれ方向が前記前工程側であると判定された場合には、前記センサにより検出がなされた前記被包装物に対する前記後工程が、前記ずれが発生していない場合より遅い処理期間において実施されないように前記包装機を制御する。
【００３９】
さらにまた、この発明の第４の態様では、前記処理期間は、複数の工程の各々が実施する処理の単位処理時間を表すタクトで定義され、前記ずれが発生していない場合より遅い処理期間は、前記ずれが発生していない場合における処理期間の１タクト後である。
【００４０】
この発明の第５の態様は、第３の態様の制御装置において、前記包装機が、少なくとも複数の前記被包装物を包装材により覆う工程と、前記覆われた複数の被包装物を予め設定された単位数で分離する工程とを備えるピロー包装機である場合に、前記センサによる検出がなされた工程の実施から、前記分離するための工程の実施までに要する所要時間を考慮して、前記ずれ方向が判定された被包装物について、前記分離するための工程が実施されないように前記ピロー包装機を制御する。
【００４１】
この発明の第６の態様は、第１乃至第５の態様のうちの何れかの制御装置を備えた包装機である。
【００４２】
この発明の第７の態様は、被包装物を搬送するための搬送機構を含む包装機を制御するための制御方法であって、前記被包装物の位置を検出するセンサから、前記搬送機構における被包装物の搬送位置を表す位置検出情報を取得し、前記取得された位置検出情報に基づいて、前記被包装物の所定位置からの搬送方向に対するずれ方向を判定し、前記センサによる位置検出がなされた前記被包装物に対して、前記センサによる位置検出がなされた工程よりも後工程の実施を、前記判定部によって判定されたずれ方向に基づいて制御する。
【００４３】
この発明の第８の態様は、被包装物を搬送するための搬送機構を含む包装機を制御するための制御方法であって、前記被包装物を検出するセンサから、前記搬送機構における被包装物の搬送タイミングを表す搬送タイミング検出情報を取得し、前記取得された搬送タイミング検出情報に基づいて、予め設定された基準時点から、前記センサによって前記被包装物が検出されるまでの経過時間を求め、前記経過時間に基づいて、前記被包装物の所定位置からのずれ方向を判定し、前記センサによる検出がなされた前記被包装物に対して、前記センサによる検出がなされた工程よりも後工程の実施を、前記判定部によって判定されたずれ方向に基づいて制御する。
【００４４】
この発明の第９の態様は、請求項１乃至５のいずれかに記載の制御装置が備える前記各部としてコンピュータを機能させるためのプログラムである。
【発明の効果】
【００４５】
この発明の第１、６、７、９の態様によれば、噛み込みの要因となる被包装物のずれ方向を、被包装物の位置の検出結果に基づいて判定し、ずれ方向に応じて後工程の何れかの工程に対して、被包装物の噛み込みを回避するための予防的な制御を実施することによって、包装機の運転を継続させながら、噛み込みを回避することが可能となる。
【００４６】
また、第２、６、８、９の態様によれば、噛み込みの要因となる被包装物のずれ方向を、所定の時点から、センサによって被包装物が検出されるまでの経過時間に基づいて判定し、ずれ方向に応じて後工程の何れかの工程に対して予防的な制御を実施することによって、包装機の運転を継続させながら、被包装物の噛み込みを回避することが可能となる。
【００４７】
この発明の第３の態様によれば、経過時間を、２つの異なるしきい値それぞれと比較することによって、ずれ方向を判定することが可能となる。さらに、包装機において包装物によって覆われた複数の被包装物から、単位数の被包装物を分離するための工程を実施する際に、噛み込みを回避するための予防的な制御を、包装物のずれ方向に応じて実施することが可能となる。
【００４８】
この発明の第４の態様によれば、噛み込みを回避するための予防的な制御を、タクト単位で実施することが可能となる。
【００４９】
この発明の第５の態様によれば、センサによる検出がなされた工程の実施から、分離するための工程の実施までに要する所要時間を考慮して、ずれ方向が判定された被包装物について、分離するための工程が実施されないように制御することが可能となる。
【図面の簡単な説明】
【００５０】
【図１】第１の実施形態に係る制御方法が適用された制御装置の構成例を示す機能ブロック図である。
【図２】横ピロー包装機の起動後に取得された検出信号の時間関係の一例を示す図である。
【図３】ワークが正常状態の場合に検出されるサーボラッチ信号と、ワークずれセンサによる検出信号との時間関係を示す模式図である。
【図４】ワークが前方ずれの場合に検出されるサーボラッチ信号と、ワークずれセンサによる検出信号との時間関係を示す模式図である。
【図５】ワークが後方ずれの場合に検出されるサーボラッチ信号と、ワークずれセンサによる検出信号との時間関係を示す模式図である。
【図６】第１の実施形態に係る制御方法が適用された制御装置のデータ取得時の動作例を示すフローチャートである。
【図７】第１の実施形態に係る制御方法が適用された制御装置のワークずれ判定時の動作例を示すフローチャートである。
【図８】一般的な横ピロー包装機の構成例を示す概要図である。
【図９】ワークとフィルムとの位置関係の代表的なパターンの例を説明するための上面図である。
【図１０】ワークとフィルムとの位置関係の代表的なパターンの例を説明するための側面図である。
【発明を実施するための形態】
【００５１】
以下に、本発明を実施するための最良の形態について図面を参照しながら説明する。
【００５２】
なお、以下の各実施形態の説明に用いる図中の符号は、図８乃至図１０と同一部分については同一符号を付して示し、重複説明を避ける。
【００５３】
（第１の実施形態）
図１は、第１の実施形態に係る制御方法が適用された制御装置１０の構成例を示す機能ブロック図である。
【００５４】
本実施形態に係る制御装置１０は、包装機を制御するための装置であって、コンピュータを構成するＣＰＵ（Central Processing Unit）およびプログラムメモリを有し、本実施形態を実施するために必要な制御を行う部位として、制御部１２、データ取得部１４、特徴量導出部２０、異常判定部２２、および制御指示部２４を備える。これらの部位はいずれも上記プログラムメモリに格納されたプログラムを上記ＣＰＵに実行させることにより実現される。
【００５５】
制御装置１０はまた、データ蓄積部１６を備える。データ蓄積部１６は、例えばＳＳＤ（Solid State Drive）やＨＤＤ（Hard Disk Drive）等の随時書き込みおよび読み出しが可能な不揮発性メモリや記憶媒体である。
【００５６】
以下では、このような制御装置１０が、図８に示すような横ピロー包装機４０に適用された場合を例に説明するが、制御装置１０は、横ピロー包装機４０への適用に限定されるものではなく、例えば縦ピロー包装機のように、他のタイプの包装機にも適用することも可能である。
【００５７】
制御部１２は、サーボモータ６２、７５、８３、９２およびデータ蓄積部１６に対して周期Ｔで規則的にサーボラッチ信号を出力する。サーボモータ６２、７５、８３、９２は、サーボラッチ信号の間隔に応じて駆動する。データ蓄積部１６は、サーボラッチ信号が出力された時間情報を記憶する。
【００５８】
このようにサーボモータ６２、７５、８３、９２が、サーボラッチ信号に従って駆動されることによって、横ピロー包装機４０が駆動され、ワーク５０およびフィルム７１が、後工程へ搬送される。
【００５９】
これに応じて、フィルム搬送機構（メイン）７０では、光学センサ７４が、フィルム７１の表面に等間隔で付されているレジマークを検出し、検出結果のデータをデータ取得部１４へ出力する。また、ワーク搬送機構６０では、光学センサ６４が、搬送されて来るワーク５０を検出し、検出結果のデータをデータ取得部１４へ出力する。フィルム搬送機構（サブ）８０では、光学センサ８２が、連続的に搬送されて来るワーク５０を検出し、検出結果のデータをデータ取得部１４へ出力する。さらに、トップシール機構９０におけるサーボモータ９２のトルクも、データ取得部１４へ出力される。
【００６０】
データ取得部１４は、このようにして、光学センサ６４、７４、８２、およびサーボモータ７５、９２から、状態を表す物理量である検出結果のデータを、タクト毎に取得する。タクトとは、複数の工程の各々が実施する処理の単位処理時間のことである。データ取得部１４は、これら検出結果のデータを、データ蓄積部１６へ出力し、記憶させる。
【００６１】
データ蓄積部１６は、データ取得部１４から出力された検出結果のデータを記憶する。
【００６２】
図２は、横ピロー包装機４０の起動後に取得された検出結果の時間関係の一例を示す図である。図２は、データ蓄積部１６に記憶された検出結果のデータのうちのいくつかを、例えば周期Ｔのタクト単位に時間軸を揃えて表示した図であり、横軸の単位はｍｓ（ミリ秒）である。
【００６３】
すなわち、タクト＃１において、横ピロー包装機４０の制御が開始されると、制御部１２から、サーボモータ７５へとサーボラッチ信号が出力される。これに応じてサーボモータ７５が駆動し、フィルム搬送機構（メイン）７０からフィルム搬送機構（サブ）８０へとフィルム７１が送られることによって、光学センサ７４によってレジマークが検出される。
【００６４】
図２（ａ）に示すパルスは、光学センサ７４から出力された検出信号に対応する。
【００６５】
制御部１２からは、その後、後工程のために、周期Ｔで規則的にサーボラッチ信号が出力されるので、光学センサ７４からも周期Ｔで規則的に検出信号が出力される。
【００６６】
ワーク搬送機構６０では、フィルム搬送機構（メイン）７０のタクト＃１において光学センサ７４によって検出されたレジマークと、フィルム搬送機構（メイン）７０のタクト２１において光学センサ７４によって検出されたレジマークとの間に配置されるためのワーク５０が、タクト＃２において、光学センサ６４によって検出される。
【００６７】
図２（ｂ）に示すパルスは、光学センサ６４から出力された検出信号に対応する。この検出信号もまた、横ピロー包装機４０が正常に連続動作していれば、その後、周期Ｔで、規則的に出力される。
【００６８】
ワーク搬送機構６０のタクト＃２において検出されたワーク５０は、フィルム搬送機構（サブ）８０のタクト＃６において、フィルム７１の筒の中に、フィルム搬送機構（メイン）７０のタクト＃１において検出されたレジマークと、フィルム搬送機構（メイン）７０のタクト＃２において検出されたレジマークとの間に配置された状態で、光学センサ８２によって検出される。
【００６９】
図３（ｃ）に示すパルスは、光学センサ８２から出力された検出信号に対応する。この検出信号もまた、横ピロー包装機４０が正常に連続動作していれば、その後、周期Ｔで、規則的に出力される。
【００７０】
フィルム搬送機構（サブ）８０においてタクト＃６において検出されたワーク５０は、トップシール機構９０へ搬送され、タクト＃９において、トップシールおよび切断がなされる。
【００７１】
図３（ｄ）に示す波形は、トップシール機構９０のサーボモータ９２のトルクの波形信号に対応する。波形の鋭いピークは、サーボモータ９２にトルクがかけられている状態を示す。この鋭いピークもまた、横ピロー包装機４０が正常に連続動作していれば、その後、周期Ｔで、規則的に発生する。
【００７２】
前述したように、これら検出信号は、横ピロー包装機４０が正常に連続動作していれば、何れもその後、周期Ｔで、規則的に発生するが、後工程側の機構ほど、同一のワーク５０に対する検出信号の発生タイミングが遅くなる。
【００７３】
特徴量導出部２０は、データ蓄積部１６に記憶されたこれら検出結果のデータに基づく分析を行い、予め定められた特徴の値である特徴量を導出し、導出した特徴量を異常判定部２２へ出力する。限定される訳ではないが、特徴量としては例えば、サーボラッチ信号の立ち上がりから、光学センサ８２の検出信号の立ち上がりまでの経過時間がある。
【００７４】
図３は、図９（ａ）および図１０のように、正常状態のワーク５０について検出されたサーボラッチ信号Ｓと、光学センサ８２による検出信号Ｗとの時間関係を示す模式図である。図３は、図２（ａ）と図２（ｃ）との時間関係を示す模式図とも理解される。
【００７５】
ワーク５０が正常状態であれば、サーボラッチ信号Ｓの立ち上がりから、光学センサ８２による検出信号Ｗの立ち上がりまでの時間である経過時間Ｔｄは、何れのタクトでも一定である。
【００７６】
図４に示す最初のタクトは、図９（ｂ）に示すように、前方ずれのワーク５０について検出されたサーボラッチ信号Ｓと、光学センサ８２による検出信号Ｗとの時間関係を示している。前方ずれのワーク５０は、正常状態におけるワーク５０よりも早く検出されるので、正常状態において検出される経過時間Ｔｄよりも短い経過時間Ｔｄｆとなる。なお、２番目以降のタクトは、ワーク５０が正常状態であり、経過時間がＴｄになっていることを示している。
【００７７】
図５に示す最初のタクトは、図９（ｃ）に示すように、後方ずれのワーク５０について検出されたサーボラッチ信号Ｓと、光学センサ８２による検出信号Ｗとの時間関係を示している。後方ずれのワーク５０は、正常状態におけるワーク５０よりも遅れて検出されるので、正常状態において検出される経過時間Ｔｄよりも長い経過時間Ｔｄｂとなる。なお、２番目以降のタクトは、ワーク５０が正常状態であり、経過時間がＴｄになっていることを示している。
【００７８】
特徴量導出部２０は、このような経過時間を、特徴量として異常判定部２２へ出力する。
【００７９】
異常判定部２２は、特徴量導出部２０から出力された経過時間に対して、先ず、前方ずれであるか否かを判定し、次に、後方ずれであるか否かを判定する。
【００８０】
このため、異常判定部２２は、特徴量導出部２０から出力された経過時間を、前方ずれ用に予め定められ、異常判定部２２に記憶されているしきい値th1_forwardと比較する。そして、経過時間が、しきい値th1_forwardよりも短い場合、前方ずれであると判定する。
【００８１】
また、前方ずれと判定されなかった場合、異常判定部２２は、この経過時間を、後方ずれ用に予め定められ、異常判定部２２に記憶されているしきい値th1_backと比較する。そして、経過時間が、しきい値th1_backよりも長い場合、後方ずれであると判定する。
【００８２】
異常判定部２２は、前方ずれまたは後方ずれを判定すると、フィルム搬送機構（サブ）８０において「製品位置ずれ」が発生していると判定し、検知場所（フィルム搬送機構（サブ）８０）、異常内容（製品位置ずれ）、および発生タクト（例えば、タクト＃６）を含む判定結果を、制御指示部２４へ出力する。
【００８３】
なお、上記では、特徴量導出部２０が、データ蓄積部１６に記憶されたデータの物理量に基づく分析を行い、特徴量を導出し、異常判定部２２が、特徴量に基づいて異常の発生の有無を判定する例について説明した。しかしながら、異常判定部２２は、特徴量に基づくことなく、データ蓄積部１６に記憶されたデータの物理量を直接使用して異常の発生の有無を判定するようにしても良い。
【００８４】
制御指示部２４は、異常判定部２２から、前方ずれとの判定結果が出力されると、このワーク５０に対してトップシール機構９０が、トップシールや切断といった処理を実施しないように、３タクト後におけるトップシール機構９０の動作を停止させる予防的な制御を実施するための制御情報を生成し、制御部１２へ出力する。なぜなら、図２（ｃ）および図２（ｄ）に示すように、光学センサ８２において検出されたワーク５０は、３タクト後にトップシール機構９０へ搬送されるからである。
【００８５】
一方、制御指示部２４は、異常判定部２２から、後方ずれとの判定結果が出力されると、このワーク５０に対してトップシール機構９０がトップシールや切断といった処理を実施しないように、４タクト後におけるトップシール機構９０の動作を停止させる予防的な制御を実施するための制御情報を生成し、制御部１２へ出力する。なぜなら、前述したように、光学センサ８２において検出されたワーク５０は、３タクト後にトップシール機構９０へ搬送されるが、後方ずれの場合、その次のタクトである４タクト後にトップシール機構９０においてトップシールや切断といった処理がなされるからである。
【００８６】
制御部１２は、制御指示部２４から出力された制御情報を、トップシール機構９０へ出力する。これによって、前方ずれまたは後方ずれをしているワーク５０は、トップシール機構９０へ搬送されても、トップシールや切断といった処理がなされず、横ピロー包装機４０から排出される。トップシール機構９０は、次のタクトからはまた通常通り動作する。
【００８７】
前方ずれも後方ずれもしていると判定されなかった場合、異常判定部２２は、制御指示部２４へ、何ら判定結果を出力しない。この場合、トップシール機構９０は、通常通り動作する。
【００８８】
次に、以上のように構成した本実施形態に係る制御装置１０によって横ピロー包装機４０を制御する際の動作について説明する。
【００８９】
先ず、データ取得時の動作例を、図６に示すフローチャートを用いて説明する。
【００９０】
横ピロー包装機４０を起動させるために、制御部１２から、各サーボモータ６２、７５、８３、９２およびデータ蓄積部１６に対して、一定の周期Ｔでサーボラッチ信号が出力される（Ｓ１）。サーボモータ６２、７５、８３、９２は、サーボラッチ信号の間隔に応じて駆動する。また、データ蓄積部１６には、サーボラッチ信号が出力された時間情報が記憶される。
【００９１】
このようにサーボモータ６２、７５、８３、９２が、サーボラッチ信号に従って駆動されることによって、横ピロー包装機４０が起動され、ワーク５０およびフィルム７１が、後工程へ搬送される（Ｓ２）。
【００９２】
これに応じて、フィルム搬送機構（メイン）７０では、光学センサ７４によってフィルム７１のレジマークが検出される。また、サーボモータ７５のトルクが検出される。ワーク搬送機構６０では、光学センサ６４によってワーク５０が検出される。さらに、フィルム搬送機構（サブ）８０では、光学センサ８２によってワーク５０が検出される。これら検出結果のデータは常時、データ取得部１４へ出力される（Ｓ３）。
【００９３】
これら検出結果のデータはさらに、データ取得部１４によってデータ蓄積部１６へ出力され、データ蓄積部１６に記憶される（Ｓ４）。
【００９４】
次に、ワークずれ判定時の動作例を、図７に示すフローチャートを用いて説明する。
【００９５】
特徴量導出部２０では、データ蓄積部１６に記憶されたこれら検出結果のデータに基づく分析が行われ、特徴量が導出される。以下では、特徴量導出部２０が、特徴量として、制御部１２からのサーボラッチ信号の立ち上がりから、光学センサ８２による検出信号の立ち上がりまでの経過時間を算出した場合を例に説明する。
【００９６】
特徴量導出部２０では、データ蓄積部１６に記憶されている検出結果のデータに基づいて、サーボラッチ信号Ｓの立ち上がりから、光学センサ８２による検出信号Ｗが検出されるまでの経過時間が算出される（Ｓ１０）。算出された経過時間は、特徴量として、異常判定部２２へ出力される。
【００９７】
異常判定部２２では、特徴量導出部２０から出力された経過時間が、前方ずれ用に予め定められたしきい値th1_forwardと比較される（Ｓ１１）。そして、経過時間が、しきい値th1_forwardよりも短い場合（Ｓ１１：Ｙｅｓ）、ワーク５０が、図９（ｂ）のように前方ずれをしていると判定される。そして、この判定結果が、異常判定部２２から、制御指示部２４へと出力される。
【００９８】
異常判定部２２から制御指示部２４へと前方ずれとの判定結果が出力されると、制御指示部２４によって、３タクト後のトップシール機構９０の動作を停止させる予防的な制御を実施するための制御情報が生成され、制御部１２へ出力される。さらにこの制御情報が、制御部１２からトップシール機構９０へ出力される（Ｓ１２）。これによって、前方ずれをしているワーク５０は、トップシール機構９０へ搬送されても、トップシールや切断といった処理がなされず、横ピロー包装機４０から排出される。このようにして、ワーク５０の前方ずれに起因するトップシール機構９０における噛み込みが阻止される。その後、トップシール機構９０では、次のタクトからまた通常の動作が行われる。
【００９９】
一方、異常判定部２２では、ステップＳ１１において、経過時間が、しきい値th1_forwardよりも短くない場合（Ｓ１１：Ｎｏ）、経過時間が、後方ずれ用に予め定められたしきい値th1_backと比較される（Ｓ１３）。そして、経過時間が、しきい値th1_backよりも長い場合（Ｓ１３：Ｙｅｓ）、ワーク５０が、図９（ｃ）のように後方ずれをしていると判定される。そして、この判定結果が、異常判定部２２から、制御指示部２４へと出力される。
【０１００】
異常判定部２２から制御指示部２４へと後方ずれとの判定結果が出力されると、制御指示部２４によって、４タクト後のトップシール機構９０の動作を停止させる予防的な制御を実施するための制御情報が生成され、制御部１２へ出力される（Ｓ１４）。これによって、後方ずれをしているワーク５０は、トップシール機構９０へ搬送されても、トップシールや切断といった処理がなされず、横ピロー包装機４０から排出される。このようにして、ワーク５０の後方ずれに起因するトップシール機構９０における噛み込みが阻止される。その後、トップシール機構９０では、次のタクトからまた通常の動作が行われる。
【０１０１】
さらに、異常判定部２２では、ステップＳ１３において、経過時間が、しきい値th1_backよりも長くない場合（Ｓ１３：Ｎｏ）、すなわち、前方ずれも後方ずれもしていると判定されなかった場合、異常判定部２２から制御指示部２４へは判定結果は何ら出力されない。これによって、トップシール機構９０は、通常通りの動作を継続する（Ｓ１５）。
【０１０２】
上述したように、本実施形態によれば、噛み込みの要因となるワーク５０の前方ずれまたは後方ずれを検出した場合には、噛み込みを回避するための予防的な制御を行うことによって、横ピロー包装機４０の運転を継続させながら、噛み込みを回避することができる。
【０１０３】
これによって、横ピロー包装機４０の稼働率を高く維持することが可能となる。
【０１０４】
（第２の実施形態）
第２の実施形態は、第１の実施形態を一部変形したものであるので、以下では、第１の実施形態と異なる点について説明し、重複説明を避ける。
【０１０５】
すなわち、第１の実施形態では、ワーク５０のずれ判定のために光学センサ８２による検出結果のデータを利用する例について説明したが、本実施形態では、光学センサ８２に代えて、カメラ（図示せず）による撮像結果を利用する。
【０１０６】
再び図３を用いて説明するように、ワーク５０のずれがない正常状態である場合、光学センサ８２は、サーボラッチ信号Ｓの立ち上がりから時間Ｔｄ後に、ワーク５０の検出を開始する。このように、正常状態である場合、サーボラッチ信号Ｓの立ち上がりから、前述したワーク５０の平面中心点が到着するまでの時間（Ｔｄ＋Ｔｗ／２）は知られている。ここで、時間Ｔｗは、検出信号Ｗのパルス幅に相当する。
【０１０７】
したがって、正常状態である場合、サーボラッチ信号Ｓの立ち上がり時間から、時間（Ｔｄ＋Ｔｗ／２）後に、光学センサ８２の代わりに設置されたカメラによってワーク５０を撮像すると、図９（ａ）のような画像が得られる。
【０１０８】
一方、前方ずれをしているワーク５０を撮像すると、図９（ｂ）のような画像が得られ、後方ずれをしているワーク５０を撮像すると、図９（ｃ）のような画像が得られる。
【０１０９】
これら画像データは、データ取得部１４が取得し、さらにデータ蓄積部１６に蓄積させる。
【０１１０】
特徴量導出部２０は、これら画像データから、ワーク５０の平面中心点の、所定位置からの変位量（（ワーク５０の平面中心点の座標）−（所定位置の座標））を算出する。
【０１１１】
たとえば、図９（ａ）のように正常状態であれば、ワーク５０の平面中心点と、所定位置（破線Ａと破線Ｂとの交点）とは一致しているので変位量はゼロである。
【０１１２】
一方、図９（ｂ）のような前方ずれの状態であれば、ワーク５０の平面中心点は、所定位置よりも、Ｘ軸における正方向側（後工程側）にあるので、変位量は正の値となる。逆に、図９（ｃ）のような後方ずれの状態であれば、ワーク５０の中心位置は、所定位置よりも、Ｘ軸における逆方向側（前工程側）にあるので、変位量は負の値となる。
【０１１３】
特徴量導出部２０は、このような変位量を、特徴量として異常判定部２２へ出力する。
【０１１４】
異常判定部２２は、変位量が正の値であれば、変位量を、前方ずれ用に予め定められたしきい値th2_forward（正の値）と比較する。そして、変位量が、しきい値th2_forwardよりも大きい場合、ワーク５０が、図９（ｂ）のように前方ずれをしていると判定する。そして、判定結果を、制御指示部２４へ出力する。
【０１１５】
一方、異常判定部２２は、変位量が負の値であれば、変位量の絶対値を、後方ずれ用に予め定められたしきい値th2_back（正の値）と比較する。そして、変位量の絶対値が、しきい値th2_backよりも大きい場合、ワーク５０が、図９（ｃ）のように後方ずれをしていると判定する。そして、判定結果を、制御指示部２４へ出力する。なお、しきい値th2_forward（正の値）と、しきい値th2_back（正の値）とは、同じ値であっても、異なる値であっても良い。
【０１１６】
制御指示部２４は、異常判定部２２から出力された判定結果に応じて、第１の実施形態で説明したように制御情報を生成し、制御部１２へ出力する。制御部１２は、この制御情報を、トップシール機構９０へ出力する。
【０１１７】
このような構成によっても、制御装置１０は、第１の実施の形態と同様に、噛み込みの要因となるワーク５０の前方ずれまたは後方ずれを検出した場合には、噛み込みを回避するための予防的な制御を行うことによって、横ピロー包装機４０の運転を継続させながら、噛み込みを回避することができる。
【０１１８】
これによって、横ピロー包装機４０の稼働率を高く維持することが可能となる。
【０１１９】
（変形例）
上記各実施形態では、トップシール機構９０においてなされる予防的な制御を実施するためのタイミングを、タクトをカウントすることによって決定しているが、本変形例では、それに代えて、時間をカウントすることによって決定する。
【０１２０】
そのために、制御指示部２４は、光学センサ８２によって検出されたワーク５０が、トップシール機構９０まで搬送されるために要する時間（搬送時間ｔ）を予め把握しておく。次に、異常判定部２２によって、前方ずれまたは後方ずれがあると判定された場合、制御指示部２４は、時間（ｔ−α）後から、時間（ｔ＋α）を経過するまで、トップシール機構９０の動作を停止させるための制御情報を生成する。なお、αは、期間を表す定数であり、０＜α＜ｔの関係を有する。
【０１２１】
定数αは、ワーク５０の搬送方向に沿った長さ、搬送速度、前方ずれおよび後方ずれの量に応じて、適切に決定される。
【０１２２】
定数αの値が大きすぎると、前方ずれまたは後方ずれをしているワーク５０のみならず、その前後の正常状態のワーク５０も、トップシール機構９０において処理がなされないまま、トップシール機構９０を通過させてしまう恐れがある。これは歩留まりの低下をもたらす。
【０１２３】
逆に、定数αの値が小さすぎると、前方ずれまたは後方ずれをしているワーク５０を回避することなく、トップシール機構９０においてトップシールおよび切断がなされてしまい、噛み込みが生じる恐れもある。
【０１２４】
定数αを適切な値に設定することによって、横ピロー包装機４０の運転を継続させながら、前方ずれまたは後方ずれをしているワーク５０に対するトップシール機構９０の動作を選択的に停止させ、トップシール機構９０における噛み込みを回避することができる。その結果、横ピロー包装機４０の稼働率を高く維持することが可能となる。
【０１２５】
以上のように、予防的な制御を実施するためのタイミングの決定方式として、タクトをカウントする方式ではなく、時間をカウントする方式によって代替することも可能である。
【０１２６】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【０１２７】
（付記１）
被包装物を搬送するための搬送機構を含む包装機を制御するための制御装置であって、ハードウェアプロセッサを備え、
前記ハードウェアプロセッサは、
前記被包装物の位置を検出するセンサから、前記搬送機構における被包装物の搬送位置を表す位置検出情報を取得し、
前記取得された位置検出情報に基づいて、前記被包装物の所定位置からの搬送方向に対するずれ方向を判定し、
前記センサによる位置検出がなされた前記被包装物に対して、前記センサによる位置検出がなされた工程よりも後工程の実施を、前記判定部によって判定されたずれ方向に基づいて制御するように構成された、制御装置。
【０１２８】
（付記２）
被包装物を搬送するための搬送機構を含む包装機を制御するための制御装置であって、ハードウェアプロセッサを備え、
前記ハードウェアプロセッサは、
前記被包装物を検出するセンサから、前記搬送機構における被包装物の搬送タイミングを表す搬送タイミング検出情報を取得し、
前記取得部によって取得された搬送タイミング検出情報に基づいて、予め設定された基準時点から、前記センサによって前記被包装物が検出されるまでの経過時間を求め、前記経過時間に基づいて、前記被包装物の所定位置からのずれ方向を判定し、
前記センサによる検出がなされた前記被包装物に対して、前記センサによる検出がなされた工程よりも後工程の実施を、前記判定部によって判定されたずれ方向に基づいて制御するように構成された、制御装置。
【０１２９】
（付記３）
被包装物を搬送するための搬送機構を含む包装機を制御するための制御方法であって、
ハードウェアプロセッサを用いて、前記被包装物の位置を検出するセンサから、前記搬送機構における被包装物の搬送位置を表す位置検出情報を取得し、
前記取得された位置検出情報に基づいて、前記ハードウェアプロセッサを用いて前記被包装物の所定位置からの搬送方向に対するずれ方向を判定し、
前記センサによる位置検出がなされた前記被包装物に対して、前記センサによる位置検出がなされた工程よりも後工程の実施を、前記判定部によって判定されたずれ方向に基づいて、前記ハードウェアプロセッサを用いて制御する、制御方法。
【０１３０】
（付記４）
被包装物を搬送するための搬送機構を含む包装機を制御するための制御方法であって、
前記被包装物を検出するセンサから、ハードウェアプロセッサを用いて前記搬送機構における被包装物の搬送タイミングを表す搬送タイミング検出情報を取得し、
前記取得された搬送タイミング検出情報に基づいて、前記ハードウェアプロセッサを用いて、予め設定された基準時点から、前記センサによって前記被包装物が検出されるまでの経過時間を求め、前記経過時間に基づいて、前記被包装物の所定位置からのずれ方向を判定し、
前記ハードウェアプロセッサを用いて、前記センサによる検出がなされた前記被包装物に対して、前記センサによる検出がなされた工程よりも後工程の実施を、前記判定部によって判定されたずれ方向に基づいて制御する、制御方法。
【符号の説明】
【０１３１】
１０  制御装置、１２  制御部、１４  データ取得部、１６  データ蓄積部、２０  特徴量導出部、２２  異常判定部、２４  制御指示部、４０  横ピロー包装機、５０  ワーク、６０  ワーク搬送機構、６１  エンドレスチェーン、６２  サーボモータ、６３  押送フィンガ、６４  光学センサ、６５  ワーク乗り上げセンサ、６６、６７  スプロケット、７０  フィルム搬送機構（メイン）、７１  フィルム、７２  ロール、７４  光学センサ、７５  サーボモータ、８０  フィルム搬送機構（サブ）、８２  光学センサ、８３  サーボモータ、９０  トップシール機構、９２  サーボモータ。
【図１】
2018177318.tif 000003
【図２】
2018177318.tif 000004
【図３】
2018177318.tif 000005
【図４】
2018177318.tif 000006
【図５】
2018177318.tif 000007
【図６】
2018177318.tif 000008
【図７】
2018177318.tif 000009
【図８】
2018177318.tif 000010
【図９】
2018177318.tif 000011
【図１０】
2018177318.tif 000012